(57)【特許請求の範囲】
【請求項１】
シャッターケースに内装された開閉機のクラッチ解放装置において、該装置は、クラッチ解放ワイヤと、該シャッターケースの側面あるいは下面に設けられた錠筒状部と、該筒状部に対して抜き差し自在のシリンダ部と、該シリンダ部を該筒状部に対して脱着させるキーとからなり、該シリンダ部の先端側には該クラッチ解放ワイヤが連結されていることを特徴とする電動シャッターのクラッチ解放装置。
【請求項２】
請求項１において、前記クラッチ解放ワイヤは、巻取シャフトの中空部内を延出してシャッターケース側面を形成するブラケット内側に引き出されており、該ワイヤはさらにブラケットの面部に沿って延出して該錠筒状部に案内されており、該錠筒状部には該ワイヤを受入案内する切欠溝が形成されていることを特徴とするクラッチ解放装置。
【発明の詳細な説明】
【０００１】
【発明の属する技術分野】
本発明は、電動シャッターのクラッチ解放装置に関するものである。
【０００２】
【従来の技術】
軽量電動シャッターは、停電等に備えるため、開閉機の作動を解除し、手動に切替えて使用できるようになっている。開閉機にはクラッチ機構が設けてあり、シャッターケース外部に引き出したクラッチ解放ワイヤを解放リングを介して引くことによってクラッチを解放するように構成されている。具体的には図９に示すように、軽量電動シャッターを手動開閉する場合、従来はシャッターケースＡに開閉可能に設けられたワイヤ引出用蓋体Ｂを開き、内部のクラッチ操作リングを引くことで行う。したがって、シャッターケースには錠付きの蓋体を設ける必要があった。
【０００３】
しかしながら、かかる蓋体を設けると、ケース板の割付が、上下で変わってしまい、見栄えが悪くなってしまっていた。また、ケース内部の操作リングを手探りで探す必要があった。しかも、ケース内部で操作リングを操作するので、力が入れにくく、また小口に手がぶつかってしまう惧れもあった。
【０００４】
【発明が解決しようとする課題】
本発明は、シャッターケースに開閉自在の蓋体を設けることがないと共に、クラッチ解放ワイヤの操作性が良好なクラッチ解放装置を提供することを目的とするものである。
【０００５】
【課題を解決するための手段】
かかる課題を達成するために本発明が採用した技術手段は、シャッターケースに内装された開閉機のクラッチ解放装置において、該装置は、クラッチ解放ワイヤと、該シャッターケースの側面あるいは下面に設けられた錠筒状部と、該筒状部に対して抜き差し自在のシリンダ部と、該シリンダ部を該筒状部に対して脱着させるキーとからなり、該シリンダ部の先端側には該クラッチ開放ワイヤが連結されていることを特徴とするものである。
【０００６】
好ましくは、前記クラッチ解放ワイヤは、巻取シャフトの中空部内を延出してシャッターケース側面を構成するブラケット内側に引き出されており、該ワイヤはさらにブラケットの面部に沿って延出して該錠筒状部に案内されており、該錠筒状部には該ワイヤを受入案内する切欠溝が形成されている。さらに好ましくは、ブラケットの面部の一部を絞り突成させることで配線受入空間が形成されており、該クラッチ解放ワイヤは該配線受入空間内をブラケット面部に沿って延出している。
【０００７】
好ましくは、解放ワイヤには、引き出し側に位置して、アウターチューブが外装されており、該筒状部の切欠溝は、アウターチューブを受け入れる幅の寸法を有している。
【０００８】
【発明の実施の形態】
本発明の実施の形態を図面に基づいて説明する。図１はシャッター装置の概略正面図、図２はシャッター装置の分解斜視図であって、シャッター装置は、開口部左右に立設されるガイドレール１と、開口部上方に設けた巻取シャフト２と、巻取シャフト２に巻き取られ、あるいは繰り出されるシャッターカーテン３と、巻取シャフト２及び巻取シャフト２に巻装されたシャッターカーテン３を収容するシャッターケースとを備えている。尚、本実施の形態では、二種類の異なる巻取シャフト２を採用し得ることから、図２では便宜的に二つの巻取シャフトが図示されている。
【０００９】
シャッターケース本体は長尺状の３枚のケース上板４と、長尺状のケース下板５とから構成されており、シャッターケース本体の左右両側には配線側ブラケット６、従動側ブラケット７がそれぞれ設けられる。左右のブラケット間には、巻取シャフト２、二本のケースアングル８，９、まぐさ部を構成する外まぐさ１０および内まぐさ１１が支持されている。躯体側のケースアングル８には、長さ方向に所望間隔を存して複数のリブ状支承体１２が設けてある。他方のケースアングル９は、ケース上板４およびケース下板５のそれぞれの持ち出し先端部位に対応する位置に配設されており、それぞれケースアングル９に支持されるように構成されている。
【００１０】
ケース上板４、ケース下板５の長さ方向両端部位は、ブラケット６，７の面部より若干突出しており、延出余端部が形成されている。ケース上板４およびケース下板５の長さ方向両端縁、すなわち、延出余端部には上側樹脂製エッジカバー１３、下側樹脂製エッジカバー１４が周設されている。ケース上板４、ケース下板５の会合部位に位置して、樹脂製ブロック体１５が設けてある。
【００１１】
巻取シャフト２には、開閉機１６が内蔵されており、開閉機１６はクラッチを有している。クラッチを備えた開閉機は当業者において周知であり、また、クラッチ解放ワイヤあるいはクラッチ解放レバーによって、該クラッチを解放することも周知である。このような電動シャッターの開閉機のクラッチ解放装置は例えば実公平７−５２３１６号に開示されている。
【００１２】
特に図５、図６に示すように、シャッターケースの側面を構成するブラケット６の下方部位、あるいはシャッターケースの下面を構成するケース下板５には開口部が設けられ、該開口部にはクラッチ解放錠１７が設けてある。ケース下板５の場合には、取付板５ａを介してクラッチ解放錠１７が設けられている。図７に示すように、クラッチ解放錠１７は、錠筒状部１８と、筒状部１８に対して抜き差し自在のシリンダ部１９と、シリンダ部１９を筒状部１８に対して脱着させるキー２０と、シリンダ固定プレート２１とを有している。
【００１３】
シリンダ部１９の先端側にはクラッチ解放ワイヤ取付金具２２が設けてあり、シリンダ部１９の基端面にはキー溝の開口２３が形成されている。ワイヤ取付金具２２にはクラッチ解放ワイヤ２４が連結されている。キー２０をシリンダ部基端面よりキー溝に挿入させて回動することで、シリンダ部１９は筒状部に対して脱着自在となっている。図７において、キー溝の開口２３がＡ方向の場合は、シリンダ部１９は筒状部１８から外れず、キー溝の開口２３がＢ方向の場合に、シリンダ部１９が筒状部１８から外れるようになっている。このような錠装置は公知である。
【００１４】
錠装置の構成について、例示する図８に基づいて説明する。錠筒状部１８は略円筒状の中空部を有しており、中空部を形成する内壁面には長さ方向に延出する溝部１８ａが形成されている。シリンダ部１９は略円柱状の本体を有しており、本体の外周面には長さ方向に間隔を存して複数のプレート１９ａが図示しないスプリングを介して出没自在に設けてある。プレート１９ａは常時は本体外周面より突出しており、キー溝にキー２０を挿入することによって、プレート１９ａは本体外周面より突出しないように引っ込むようになっている。シリンダ部本体には先端側に位置して突片１９ｂあるいは図示しないピン等の突起が突設されており、錠筒状部１８には、突片１９ｂが係止する図示しない係止部１９ｃが形成されている。図示のものでは、係止部１９ｃは、筒状部１８の端部を切り欠くことで奥まった端部の端面である。
【００１５】
シリンダ部１９が錠筒状部１８に挿入された状態で、かつキー２０が未挿入では、シリンダ部１９の突片１９ｂが錠筒状部の係止部１９ｃに係止することで、シリンダ部１９の引き抜きが規制される。キー２０をシリンダ部１９のキー溝に挿入すると、溝部内に突出していたプレート１９ａが引っ込み、シリンダ部１９が錠筒状部１８に対して回転自在となる。シリンダ部１９の突片１９ｂが錠筒状部１８の溝部１８ａに位置するまでシリンダ部１９を回転させることで、シリンダ部１９の引き抜きが可能となる。
【００１６】
錠筒状部１８の周壁には、先端側に位置して溝部１８ｂが切り欠き形成されている。溝部１８ｂはクラッチ解放ワイヤ２４のアウターチューブ２４ａを受け入れる幅寸法を備えており、溝内にアウターチューブ２４ａを受け入れるようになっている。溝部１８ｂはクラッチ解放ワイヤ２４のガイド溝あるいはすべり軸受けの機能を備えている。
【００１７】
溝部１８ｂの作用との関連で、クラッチ解放ワイヤ２４の引き出しについて説明する。図４に示すように、クラッチ解放ワイヤ２４は、巻取シャフト２の中空部内を延出してブラケット６の内側に引き出されており、ワイヤ２４（この部位においてはアウターチューブ２４ａが外装されている）はさらにブラケットの面部に沿って下方に延出している。詳しくは、ブラケット６の面部の一部を絞り突成させることで縦長の配線受入空間２５が形成されており、アウターチューブ２４ａは配線受入空間２５内をブラケット面部に沿って下方に延出している。
【００１８】
すなわち、クラッチ解放ワイヤ２４は巻取シャフト２内部（ブラケット６の上下方向の略中央部位に位置する）を延出するのに対して、クラッチ解放錠１７はブラケット６の下方部位あるいはケース下面に設けられており、ワイヤ２４はブラケット６の面部に沿って下方に延出する必要がある。そして、ワイヤ２４は、さらに、ブラケット６の面部に略直交状に延出させることで、筒状部１８を通す必要がある。したがって、ブラケット６の面部に略直交状に延出する筒状部１８の周壁に溝部１８ｂを切り欠き形成することで、クラッチ解放ワイヤ２４（アウターチューブ２４ａ）を良好に案内できるようになっている。
【００１９】
【発明の効果】
本発明によれば、従来シャッターケースに設けていた蓋体が不要となり、製造コストを下げることができ、また、ケース板の割付も良好である。しかも、クラッチ解放ワイヤはシャッターケース外部から操作することができるので、操作性が良好である。
【図面の簡単な説明】
【図１】シャッター装置の概略正面図および側面図である。
【図２】シャッター装置の分解斜視図である。
【図３】 シャッターケース端部を示す斜視図である。
【図４】クラッチ解放ワイヤの引き出しを説明する斜視図である。
【図５】クラッチ解放錠の正面図及び側面図であって、（Ａ）は単窓あるいは２連窓納まりの場合の取付、（Ｂ）は３連窓以上、入隅納まりの場合の取付をそれぞれ示している。
【図６】シャッターケース端部を示す部分斜視図であって、（Ａ）は単窓あるいは２連窓納まりの場合の取付、（Ｂ）は３連窓以上、入隅納まりの場合の取付をそれぞれ示している。
【図７】クラッチ解放錠を示し、（Ａ）は正面図、（Ｂ）は側面図、（Ｃ）はキーの側面図である。
【図８】クラッチ解放錠を分解して示す図であり、（Ａ）は錠筒状部の側方断面図、（Ｂ）は錠筒状部の正面図、（Ｃ）は錠筒状部の側面図、（Ｄ）は錠筒状部の背面図、（Ｅ）は錠筒状部の底面図、（Ｆ）はシリンダ部の正面図、（Ｇ）はシリンダ部の側面図である。
【図９】斜視図、正面図はそれぞれ従来のワイヤ引出用蓋体を示す図である。尚、蓋体を設けた部位については斜視図と正面図で異なっている。
【符号の説明】
２  巻取シャフト
４  ケース上板
５  ケース下板
６  配線側ブラケット
１６  開閉機
１７  クラッチ解放錠
１８  錠筒状部
１９  シリンダ部
２０  キー
２４  クラッチ解放ワイヤ
２４ａ  アウターチューブ
【図１】
0003728718.tif 000002
【図２】
0003728718.tif 000003
【図３】
0003728718.tif 000004
【図４】
0003728718.tif 000005
【図５】
0003728718.tif 000006
【図６】
0003728718.tif 000007
【図７】
0003728718.tif 000008
【図８】
0003728718.tif 000009
【図９】
0003728718.tif 000010